(57)【要約】【課題】溶融金属めっき鋼板を製造するに際して、スナウト部の異物を排出するポンプの排出能力を高く保ち、スナウト部の浴面に異物の浮遊が無い状態を保持することによって、表面外観性の優れた溶融金属めっき鋼板を容易に製造することを可能にする、表面外観性の優れた溶融金属めっき鋼板の製造方法および装置を提供する。【解決手段】スナウト部５内の浴面に浮遊する異物１６を異物排出ポンプ６で吸引してスナウト部５の外に排出することとし、溶融亜鉛１に対して不溶性の塊状物（例えば、セラミック塊）１５を溶融亜鉛１の浴面１１から押し込んでおき、液面レベル測定装置１０の測定結果に基づいて、塊状物１５の押し込み量を調節して、溶融亜鉛１の浴面レベルを一定に保つようにする。【選択図】図１
2012017480.tif 000002
【特許請求の範囲】
【請求項１】
溶融金属を満たしためっき浴槽に鋼板を通して連続的にめっきを行うことによって溶融金属めっき鋼板を製造する方法において、スナウト内部の異物をポンプで吸引してスナウト部の外に排出することとし、溶融金属に対して不溶性の塊状物を溶融金属の浴面から押し込んでおき、溶融金属の浴面レベルを測定し、その測定結果に基づいて、前記塊状物の押し込み量を調節して、溶融金属の浴面レベルを一定に保つことを特徴とする、表面外観性の優れた溶融金属めっき鋼板の製造方法。
【請求項２】
溶融金属を満たしためっき浴槽に鋼板を通して連続的にめっきを行うことによって溶融金属めっき鋼板を製造する装置において、スナウト内部の異物を吸引してスナウト部の外に排出するポンプと、溶融金属の浴面レベルを測定する浴面レベル測定装置と、溶融金属の浴面レベルを制御する浴面レベル制御装置とを備え、前記浴面レベル制御装置は、溶融金属の浴面から押し込まれる、溶融金属に対して不溶性の塊状物を有し、前記浴面レベル測定装置からの測定信号に基づいて、前記塊状物の押し込み量を調節して、溶融金属の浴面レベルを一定に保つことを特徴とする、表面外観性の優れた溶融金属めっき鋼板の製造装置。
【発明の詳細な説明】
【技術分野】
【０００１】
本発明は、表面外観性の優れた溶融金属めっき鋼板の製造方法および装置に関するものである。
【背景技術】
【０００２】
焼鈍と溶融金属めっきが連続で行われる連続溶融めっき設備、たとえば連続溶融亜鉛めっき設備などにおいては、鋼板を還元焼鈍炉から溶融金属が貯留されているめっき浴槽（めっきポット）に導く連結装置として、筒状のスナウトが設けられ、スナウトの端部は、めっき液に浸漬されている。長時間めっき処理を行うと、めっき金属が酸化したり、金属化合物を形成して異物が発生し、めっき金属より比重が軽い異物は、トップドロスとして浴面に次第に堆積する。このようなスナウト内部の浴面に堆積した異物が鋼板に付着してめっきされ、表面外観性を劣化させる原因となっている。
【０００３】
そこで、この異物を除去するため、異物を吸引してスナウトの外に排出するポンプ（異物排出ポンプ）を設置する方法が用いられることがある（例えば、特許文献１、特許文献２参照）。
【０００４】
この異物排出ポンプは、吸引口の一部を溶融金属の浴面から出た状態とすることで、排出能力を保つことができるため、溶融金属の浴面レベルを測定しながら、異物排出ポンプの吸い込み口の高さを調整して、浴面高さと吸い込み口の高さを一定に保つ方法が用いられることもある。
【先行技術文献】
【特許文献】
【０００５】
【特許文献１】特開２００３−２９３１０７号公報
【特許文献２】特開２００５−２２０４０４号公報
【発明の概要】
【発明が解決しようとする課題】
【０００６】
しかし、上記の技術には、以下のような問題があることが分かった。
【０００７】
溶融金属の浴面レベルを測定しながら、異物排出ポンプの吸い込み口の高さを調整して、浴面高さと吸い込み口の高さを一定に保つ方法は、効果にばらつきがあることが分かった。この原因について調査したところ、次の理由でばらつきがあることが分かった。すなわち、異物排出ポンプの排出能力は一定に保つことができるが、浴面レベルの変動は抑止できない。浴面レベルの変動に伴い、スナウトの内壁に浴面変動範囲に渡って異物が固着・堆積することがあり、浴面レベルの上昇により一気に異物が浴面に浮遊し、場合によっては、異物排出ポンプの排出能力を上回る量になって、鋼板に異物が付着していたということが分かった。
【０００８】
以上のことから、浴面レベルを一定に保つことが、めっき外観向上に効果的であることが分かった。浴面レベルを一定に保つ方法としては、溶融金属の浴面レベルの低下を測定しながら、溶融金属原料をこまめに投入したり、溶融金属の浸漬量を調整して浴面レベルの変動を最小限に抑える方法が考えられるが、溶融金属原料は凝固した金属であることが多く、浴面レベルを調整するために急激に溶融金属を投入すると、浴面に振動が伝わり、かえってスナウト内壁の異物を剥落させてしまうこともあり、効果は充分と言えないことも分かった。
【０００９】
本発明は、上記のような事情に鑑みてなされたものであり、溶融金属めっき鋼板を製造するに際して、スナウト部の異物を排出するポンプの排出能力を高く保ち、スナウト部の浴面に異物の浮遊が無い状態を保持することによって、表面外観性の優れた溶融金属めっき鋼板を容易に製造することを可能にする、表面外観性の優れた溶融金属めっき鋼板の製造方法および装置を提供することを目的とするものである。
【課題を解決するための手段】
【００１０】
上記課題を解決するために、本発明は以下の特徴を有している。
【００１１】
［１］溶融金属を満たしためっき浴槽に鋼板を通して連続的にめっきを行うことによって溶融金属めっき鋼板を製造する方法において、スナウト内部の異物をポンプで吸引してスナウト部の外に排出することとし、溶融金属に対して不溶性の塊状物を溶融金属の浴面から押し込んでおき、溶融金属の浴面レベルを測定し、その測定結果に基づいて、前記塊状物の押し込み量を調節して、溶融金属の浴面レベルを一定に保つことを特徴とする、表面外観性の優れた溶融金属めっき鋼板の製造方法。
【００１２】
［２］溶融金属を満たしためっき浴槽に鋼板を通して連続的にめっきを行うことによって溶融金属めっき鋼板を製造する装置において、スナウト内部の異物を吸引してスナウト部の外に排出するポンプと、溶融金属の浴面レベルを測定する浴面レベル測定装置と、溶融金属の浴面レベルを制御する浴面レベル制御装置とを備え、前記浴面レベル制御装置は、溶融金属の浴面から押し込まれる、溶融金属に対して不溶性の塊状物を有し、前記浴面レベル測定装置からの測定信号に基づいて、前記塊状物の押し込み量を調節して、溶融金属の浴面レベルを一定に保つことを特徴とする、表面外観性の優れた溶融金属めっき鋼板の製造装置。
【発明の効果】
【００１３】
本発明においては、溶融金属めっき鋼板を製造するに際して、溶融金属に対して不溶性の塊状物を浴面から押し込んでおき、浴面レベルの測定結果に基づいて、塊状物の押し込み量を変えることで、溶融金属の浴面レベルを一定に保つようにしているので、スナウト部の異物を排出するポンプの吸い込み口が浴面に対して一定に保たれるようになり、スナウト部の異物を排出するポンプの排出能力を高く保ち、スナウト部の浴面に異物の浮遊が無い状態を保持することができるとともに、溶融金属の浴面レベルが一定になるので、スナウト内壁への異物の固着が無くなり、異物が一気に溶け出すことが無くなる。その結果、鋼板が溶融金属に浸入するスナウト部の浴面が清浄に保たれ、鋼板表面への異物の付着・巻き込みが無くなり、表面外観性の優れた溶融金属めっき鋼板を容易に製造することができるようになる。
【図面の簡単な説明】
【００１４】
【図１】本発明の一実施形態を示す側面図である。
【発明を実施するための形態】
【００１５】
本発明の一実施形態を図面に基づいて説明する。なお、ここでは、溶融金属めっき鋼板として溶融亜鉛めっき鋼板を例にして述べる。
【００１６】
図１は、本発明の一実施形態における溶融亜鉛めっき鋼板の製造装置を示す側面図である。
【００１７】
図１に示すように、この実施形態における溶融亜鉛めっき鋼板の製造装置は、溶融亜鉛１を満たしためっき浴槽（めっきポット）２に鋼板Ｓを通して連続的にめっきを行うことによって溶融亜鉛めっき鋼板を製造するものである。なお、図１において、５は鋼板Ｓが溶融亜鉛１に浸入する部分（スナウト部）であり、３はスナウト前方向転換ロール、４は溶融亜鉛内の方向転換ロールである。
【００１８】
その上で、この実施形態においては、スナウト部５の浴面に浮遊する異物（浴面浮遊異物）１６を異物排出ポンプ６で吸引してスナウト部５の外に排出することとし、溶融亜鉛１に対して不溶性の塊状物（例えば、セラミック塊）１５を溶融亜鉛１の浴面１１から押し込んでおき、その塊状物１５の押し込み量を調節して、溶融亜鉛１の浴面レベルを一定に保つようにしている。
【００１９】
すなわち、この溶融亜鉛めっき鋼板の製造装置は、スナウト部５の浴面に浮遊する浴面浮遊異物１６を吸い込み口８から吸引して排出口９からスナウト部５の外に排出する異物排出ポンプ６と、異物排出ポンプ６を駆動する異物排出ポンプ駆動源７と、溶融亜鉛１の浴面１１のレベルを測定する浴面レベル測定装置１０と、浴面レベル測定装置１０からの測定信号１８に基づいて溶融亜鉛１の浴面レベルを一定に保つために必要な塊状物１５の押し込み量を演算する塊状物押し込み量演算装置１９と、塊状物押し込み量演算装置１９からの塊状物押し込み量信号２０に基づいて、塊状物１５の押し込み量を連結装置１４を介して昇降装置１３によって調節して、溶融亜鉛１の浴面レベルを一定に保つ浴面レベル制御装置１２とを備えている。
【００２０】
このようにして、この実施形態においては、溶融亜鉛めっき鋼板を製造するに際して、溶融亜鉛１に対して不溶性の塊状物１５を浴面から押し込んでおき、浴面レベル測定装置１０の測定結果に基づいて、塊状物１５の押し込み量を変えることで、溶融亜鉛１の浴面レベルを一定に保つようにしているので、スナウト部５の浴面浮遊異物１６を排出する異物排出ポンプ６の吸い込み口８が浴面１１に対して一定に保たれるようになり、スナウト部５の浴面浮遊異物１６を排出する異物排出ポンプ６の排出能力を高く保ち、スナウト部５に浴面浮遊異物１６が無い状態を保持することができる。また、溶融亜鉛１の浴面レベルが一定になるので、スナウト５の内壁へ付着・堆積する異物（スナウト内壁付着・堆積異物）１７が無くなり、スナウト内壁付着・堆積異物１７が一気に溶け出すことも無くなる。その結果、鋼板Ｓが溶融亜鉛１に浸入するスナウト部５の浴面が清浄に保たれ、鋼板Ｓ表面への異物の付着・巻き込みが無くなり、表面外観性の優れた溶融金属めっき鋼板を容易に安定して製造することができるようになる。
【００２１】
なお、この実施形態では、溶融亜鉛めっき鋼板を例にして説明したが、本発明はこれに限るものではなく、アルミニウムや錫などを用いた他の溶融金属めっき鋼板についても同様に適用することができる。
【符号の説明】
【００２２】
Ｓ  鋼板
１  溶融金属（溶融亜鉛）
２  めっき浴槽（めっきポット）
３  スナウト前方向転換ロール
４  溶融金属内の方向転換ロール
５  スナウト部
６  異物排出ポンプ
７  異物排出ポンプ駆動源
８  異物排出ポンプ吸い込み口
９  異物排出ポンプ排出口
１０  浴面レベル測定装置
１１  浴面
１２  浴面レベル制御装置
１３  塊状物の昇降装置
１４  連結装置
１５  塊状物
１６  スナウト浴面浮遊異物
１７  スナウト内壁付着・堆積異物
１８  浴面レベル測定装置出力信号
１９  塊状物押し込み量演算装置
２０  塊状物押し込み量信号
【図１】
2012017480.tif 000003